(57)【要約】【課題】現像ユニットに設けられるメモリ基板の接点を好適に清掃することができる画像形成装置を提供する。【解決手段】現像ラック１５に取付けられる現像ユニット４０Ｙ〜４０Ｋには、メモリ基板４２Ｙ〜４２Ｋが設けられている。メモリ基板の接点Ａ〜Ｃを清掃するためのスクレーパ接点５１ａ〜５１ｃは、画像形成装置本体の台座５４に設置される。台座５４は、横方向に可動する台座５３の上に設置される。台座５３を移動させることで、スクレーパ接点５１ａ〜５１ｃを上下に移動させることができる。現像ラック１５の正転時にはスクレーパ接点５１ａ〜５１ｃは、メモリ基板の接点Ａ〜Ｃから離間し、現像ラック１５の逆転時にはスクレーパ接点５１ａ〜５１ｃは、メモリ基板の接点Ａ〜Ｃに接する。【選択図】図７
2010169706.tif 000002
【特許請求の範囲】
【請求項１】
装置本体に着脱可能に消耗品を装着することが可能な画像形成装置であって、
前記消耗品に取付けられた記憶媒体の接点に対して、電気的な接続を行なうための本接点と、
前記記憶媒体の接点を清掃することが可能なスクレーパ接点と、
前記スクレーパ接点が、前記記憶媒体の接点に対して当接可能な状態、または当接不可能な状態となるように、前記スクレーパ接点と前記記憶媒体の接点との相対的な位置関係を変化させる移動機構とを備えた、画像形成装置。
【請求項２】
前記本接点は、前記記憶媒体と通信を行なうための接点である、請求項１に記載の画像形成装置。
【請求項３】
前記移動機構は、
前記消耗品が第１の方向に移動する際には、前記本接点と前記記憶媒体の接点のみが当接し、
前記消耗品が前記第１の方向とは逆の第２の方向に移動する際には、前記スクレーパ接点と前記記憶媒体の接点とが当接するように、前記スクレーパ接点と前記記憶媒体の接点との相対的な位置関係を変化させる、請求項１または２に記載の画像形成装置。
【請求項４】
前記第１の方向は正転方向であり、
前記第２の方向は逆転方向である、請求項３に記載の画像形成装置。
【請求項５】
前記消耗品が前記第２の方向に移動する際に、前記本接点と前記記憶媒体の接点とが当接する、請求項３または４に記載の画像形成装置。
【請求項６】
前記消耗品は、ロータリー式現像ラックに載置される、請求項１から５のいずれかに記載の画像形成装置。
【請求項７】
前記移動機構は、前記現像ラックが所定量回転したとき、または通信エラーが発生したときに前記スクレーパ接点と前記記憶媒体の接点とを当接させる、請求項６に記載の画像形成装置。
【請求項８】
画像形成装置本体に着脱可能に消耗品を装着することが可能な画像形成装置に用いられる通信装置であって、
前記消耗品に取付けられた記憶媒体の接点に対して、電気的な接続を行なうための本接点と、
前記記憶媒体の接点を清掃することが可能なスクレーパ接点と、
前記スクレーパ接点が、前記記憶媒体の接点に対して当接可能な状態、または当接不可能な状態となるように、前記スクレーパ接点と前記記憶媒体の接点との相対的な位置関係を変化させる移動機構とを備えた、通信装置。
【請求項９】
装置本体に着脱可能に消耗品を装着することが可能な画像形成装置の制御方法であって、
前記画像形成装置は、
前記消耗品に取付けられた記憶媒体の接点に対して、電気的な接続を行なうための本接点と、
前記記憶媒体の接点を清掃することが可能なスクレーパ接点とを有し、
前記スクレーパ接点が、前記記憶媒体の接点に対して当接可能な状態、または当接不可能な状態となるように、前記スクレーパ接点と前記記憶媒体の接点との相対的な位置関係を変化させる移動ステップを備えた、画像形成装置の制御方法。
【請求項１０】
装置本体に着脱可能に消耗品を装着することが可能な画像形成装置の制御プログラムであって、
前記画像形成装置は、
前記消耗品に取付けられた記憶媒体の接点に対して、電気的な接続を行なうための本接点と、
前記記憶媒体の接点を清掃することが可能なスクレーパ接点とを有し、
前記スクレーパ接点が、前記記憶媒体の接点に対して当接可能な状態、または当接不可能な状態となるように、前記スクレーパ接点と前記記憶媒体の接点との相対的な位置関係を変化させる移動ステップをコンピュータに実行させる、画像形成装置の制御プログラム。
【発明の詳細な説明】
【技術分野】
【０００１】
この発明は画像形成装置、画像形成装置の制御方法、および画像形成装置の制御プログラムに関し、特に、画像形成装置に着脱自在に装着される消耗品を用いる画像形成装置、画像形成装置の制御方法、および画像形成装置の制御プログラムに関する。
【背景技術】
【０００２】
電子写真式の画像形成装置（スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなど）は、帯電させた感光体に露光を行なって静電潜像を形成する。
【０００３】
画像形成装置には、カラー印刷に用いるカラートナーを各色収容した複数の現像器（いわゆる、トナーカートリッジ）をロータリー（現像器保持ラック）の回転軸の周りに配置してこれを回転させ、それら現像器を順次現像位置に切り替えて感光体上にトナー像を形成させるものがある。いわゆる４サイクル方式によりフルカラー画像を形成するものである。
【０００４】
画像形成装置に装着される現像器に、消耗品のデータ管理用のメモリ基板を搭載させることで、消耗品の残量などを管理することが行なわれている。ロータリーを回転させ、現像器のメモリ基板に形成した通信用の接点を、所定の通信位置で停止させることが行なわれる。通信位置では、マシン本体の板バネで構成された接点とメモリ基板の接点とが電気的に接続される。これにより、マシン本体制御用のＣＰＵとメモリ基板とは、通信を行なうことが可能となる。
【０００５】
下記特許文献１には、画像形成装置に着脱可能に装着される消耗品に記憶媒体を取付けることが記載されている。記憶媒体にはコネクタが接触する。コネクタは、画像形成装置本体と記憶媒体とが送受信する信号を伝達する、弾性変形可能な複数のコンタクト部と、記憶媒体に当接し、コンタクト部の変形量を規制する複数の突起部とを備える。
【先行技術文献】
【特許文献】
【０００６】
【特許文献１】特開２００４−１２６０１７号公報
【発明の概要】
【発明が解決しようとする課題】
【０００７】
上述の従来の４サイクル方式の画像形成装置では、ロータリーが回転し、それが所定の通信位置で停止する。この位置においてマシン本体の板バネ接点と現像器に搭載のメモリ基板の接点とが接続し、通信が開始される。
【０００８】
しかしながら、接点に機内の粉塵やトナー汚れが付着して接触不良を起こし、その結果として通信不良となることがあった。
【０００９】
このような問題点を解決するため、本来の通信目的の接点に加えて、接点上に付着した機内の粉塵やトナーを除去する為のスクレーパ機能を有する接点を付加し、複数接点を備える構成とすることが考えられる。しかし複数接点とすると、マシン耐久時に現像器搭載のメモリ基板上の接点、および本体側のスクレーパ接点の摩耗が大となり、接点の接触状態が悪くなることがあった。
【００１０】
より詳しくは、マシンを所定時間以上駆動した時に、マシン本体側の接点の摩耗、およびメモリ基板側接点の摩耗が生じる。また、両接点にキズができ、このキズにトナーなどの汚れが入り込んで接点不良を引き起こすことがある。このため、なるべく接点に傷を付けないことが望ましいが、複数接点を有する構成とすると、摩耗がより多くなり、傷も付きやすいという問題がある。
【００１１】
この発明はそのような問題点を解決するためになされたものであり、接点の清掃を好適に行なうことができる画像形成装置、画像形成装置の制御方法、および画像形成装置の制御プログラムを提供することを目的としている。
【課題を解決するための手段】
【００１２】
上記目的を達成するためこの発明のある局面に従うと、画像形成装置は、装置本体に着脱可能に消耗品を装着することが可能な画像形成装置であって、消耗品に取付けられた記憶媒体の接点に対して、電気的な接続を行なうための本接点と、記憶媒体の接点を清掃することが可能なスクレーパ接点と、スクレーパ接点が、記憶媒体の接点に対して当接可能な状態、または当接不可能な状態となるように、スクレーパ接点と記憶媒体の接点との相対的な位置関係を変化させる移動機構とを備える。
【００１３】
好ましくは本接点は、記憶媒体と通信を行なうための接点である。
【００１４】
好ましくは移動機構は、消耗品が第１の方向に移動する際には、本接点と記憶媒体の接点のみが当接し、消耗品が第１の方向とは逆の第２の方向に移動する際には、スクレーパ接点と記憶媒体の接点とが当接するように、スクレーパ接点と記憶媒体の接点との相対的な位置関係を変化させる。
【００１５】
好ましくは第１の方向は正転方向であり、第２の方向は逆転方向である。
【００１６】
好ましくは消耗品が第２の方向に移動する際に、本接点と記憶媒体の接点とは当接する。
【００１７】
好ましくは消耗品は、ロータリー式現像ラックに載置される。
【００１８】
好ましくは移動機構は、現像ラックが所定量回転したとき、または通信エラーが発生したときにスクレーパ接点と記憶媒体の接点とを当接させる。
【００１９】
この発明の他の局面に従うと、画像形成装置本体に着脱可能に消耗品を装着することが可能な画像形成装置に用いられる通信装置は、消耗品に取付けられた記憶媒体の接点に対して、電気的な接続を行なうための本接点と、記憶媒体の接点を清掃することが可能なスクレーパ接点と、スクレーパ接点が、記憶媒体の接点に対して当接可能な状態、または当接不可能な状態となるように、スクレーパ接点と記憶媒体の接点との相対的な位置関係を変化させる移動機構とを備える。
【００２０】
この発明のさらに他の局面に従うと、装置本体に着脱可能に消耗品を装着することが可能な画像形成装置の制御方法において、画像形成装置は、消耗品に取付けられた記憶媒体の接点に対して、電気的な接続を行なうための本接点と、記憶媒体の接点を清掃することが可能なスクレーパ接点とを有し、制御方法は、スクレーパ接点が、記憶媒体の接点に対して当接可能な状態、または当接不可能な状態となるように、スクレーパ接点と記憶媒体の接点との相対的な位置関係を変化させる移動ステップを備える。
【００２１】
この発明のさらに他の局面に従うと、装置本体に着脱可能に消耗品を装着することが可能な画像形成装置の制御プログラムにおいて、画像形成装置は、消耗品に取付けられた記憶媒体の接点に対して、電気的な接続を行なうための本接点と、記憶媒体の接点を清掃することが可能なスクレーパ接点とを有し、制御プログラムは、スクレーパ接点が、記憶媒体の接点に対して当接可能な状態、または当接不可能な状態となるように、スクレーパ接点と記憶媒体の接点との相対的な位置関係を変化させる移動ステップをコンピュータに実行させる。
【発明の効果】
【００２２】
これらの発明に従うと、接点の清掃を好適に行なうことができる画像形成装置、画像形成装置の制御方法、および画像形成装置の制御プログラムを提供することが可能となる。
【図面の簡単な説明】
【００２３】
【図１】本発明の実施の形態の１つにおける、中間転写方式を採用した４サイクル方式のデジタルフルカラープリンタの全体構成を示す概略断面図である。
【図２】図１のプリンタが備える制御部の構成を示すブロック図である。
【図３】各現像ユニットに設けられるメモリ基板の部品装着面側の構成を示す概略図である。
【図４】各現像ユニットに設けられるメモリ基板の接点側の構成を示す概略図である。
【図５】画像形成装置本体側の接点の構成の概略図である。
【図６】画像形成装置本体側に設けられる、本接点とスクレーパ接点からなる１組の接点の構成概略図である。
【図７】スクレーパ接点を上下動させる機構を説明するための図である。
【図８】現像ラックの駆動処理を示すフローチャートである。
【図９】接点による通信の不良時に対処する処理を示すフローチャートである。
【発明を実施するための形態】
【００２４】
以下、本発明の実施の形態の１つにおける、４サイクル画像形成装置について説明する。
【００２５】
マシン（画像形成装置本体）には、スクレーパ機能を有する接点（スクレーパ接点）が搭載される。現像ラックが正転している時には、スクレーパ接点は機能しない位置（メモリ基板の接点に当接不可能な位置）に退避する。現像ラックが逆回転している時には、スクレーパ接点は機能する位置（メモリ基板の接点に当接可能な位置）に移動する。このようにして、スクレーパ接点がメモリ基板の接点に接触しない時間を長くすることで、マシン耐久時に接点の摩耗を軽減させることができる。
【００２６】
図１は、本発明の実施の形態の１つにおける、中間転写方式を採用した４サイクル方式のデジタルフルカラープリンタ（以下、単に「プリンタ」という。）の全体構成を示す概略断面図である。以下、プリンタの全体構成とその制御部の構成とについて説明する。
【００２７】
（１）  プリンタ全体の構成
【００２８】
図１に示すように、プリンタ１は、感光体ドラム２、現像装置４、中間転写ベルト６、中間転写ベルト６上の残留トナーなどを清掃するためのクリーナ８、定着装置９、露光部１１などを有する画像形成部１０、および記録シートＳを収容するための給紙カセット２１を有する給紙部２０などを備えており、周知の電子写真方式によりフルカラー画像を形成するデジタル式のプリンタである。
【００２９】
このプリンタ１は、図示しない外部コンピュータなどとＬＡＮ（Ｌｏｃａｌ  Ａｒｅａ  Ｎｅｔｗｏｒｋ）などのネットワークを介して接続されている。制御部１００がこの外部コンピュータからカラー画像のプリントデータを受信すると、制御部１００は、これに必要な処理を加えて、イエロー（Ｙ）、マゼンタ（Ｍ）、シアン（Ｃ）、およびブラック（Ｋ）の現像色の画像データを生成する。
【００３０】
これらの各現像色の画像データは、露光部１１の半導体レーザの駆動信号に変換されて半導体レーザに出力される。これにより露光部１１から、レーザビーム（図１中の破線で示す。）が感光体ドラム２へ向けて射出される。
【００３１】
クリーニングブレード５により清掃され、帯電チャージャ３により一様に帯電されて図中の“Ａ１”方向に回転する感光体ドラム２表面を、当該レーザビームは、主走査方向（記録シートＳの搬送方向と直交する方向であって、図１の紙面に対して垂直な方向）に露光走査するように出力される。これにより、対応する現像色の静電潜像が感光体ドラム２上に形成される。
【００３２】
現像装置４は、Ｙ、Ｍ、Ｃ、Ｋの各色のトナーを含む現像剤を収容した４つの現像ユニット４０Ｙ〜４０Ｋ（消耗品の一例）が、現像ラック１５に、その周方向に９０度の等間隔で装着されたものである。現像ラック１５は、その支軸１６の軸芯を中心として、図１の矢印“Ｂ”方向に回転が可能となっている。現像装置４は、図示しない現像ラックモータにより回転駆動される。次の現像色に対応する現像ユニット４０Ｙ〜４０Ｋの現像ローラ４１Ｙ〜４１Ｋが、感光体ドラム２と対向する現像位置に位置するように、制御部１００は現像ラック１５を回転制御する。これにより、感光体ドラム２上の静電潜像の現像が行なわれる。
【００３３】
中間転写ベルト６は無端状であり、１次転写ローラ６１、駆動ローラ６２、および従動ローラ６３により張架されている。駆動ローラ６２の回転駆動力により、中間転写ベルト６は、矢印“Ｅ”方向に走行する。ここで、１次転写ローラ６１によって１次転写が行なわれる間、１次転写ローラ６１にはトナーの帯電極性と逆極性の電圧が印加されるようになっている。また、駆動ローラ６２は、接地されている。
【００３４】
感光体ドラム２上に形成されたトナー像は、１次転写位置“Ｄ”において、１次転写ローラ６１と感光体ドラム２との間で発生する電界により、中間転写ベルト６上に転写（１次転写）される。その際、感光体ドラム２上における作像動作は、Ｙ、Ｍ、Ｃ、Ｋの順に、各色のトナー像が中間転写ベルト６上の同じ位置に転写されるようなタイミングで実行される。これにより、各色のトナー像が中間転写ベルト６上に順次重ねられてフルカラーのトナー像が形成される。
【００３５】
２次転写部７は、２次転写ローラ７１とこれを回転可能に軸支する保持部材７２と、この保持部材を図の左右方向に移動させる転写用ソレノイド７３とを備える。
【００３６】
上述のように中間転写ベルト６上にフルカラーのトナー像が形成されると、２次転写ローラ７１を駆動ローラ６２方向に圧接させ、２次転写ローラ７１にトナーの帯電極性と逆極性の電荷を印加する。２次転写位置“Ｆ”において、２次転写ローラ７１とこれに対向する駆動ローラ６２との間で発生する電界により、給紙カセット２１から給送されてくる記録シートＳ上にフルカラーのトナー像が２次転写される。
【００３７】
給紙カセット２１に収容された記録シートＳは、給紙ローラ２２の回転によってタイミングローラ２３まで給送される。記録シートＳは、中間転写ベルト６上にフルカラートナー像が形成される動作と同期して、タイミングローラ２３により転写位置“Ｆ”まで送り出される。
【００３８】
フルカラートナー像が転写された記録シートＳは、定着装置９まで搬送され、ここで加熱圧着される。これにより、記録シートＳ表面のトナーが熔融定着し、その後排紙ローラ１２によりシートは排紙トレー１３に排出される。
【００３９】
なお、中間転写ベルト６の清掃部材としてのクリーナ８は、先端にクリーニングブレード８１を保持する保持部材８３を、支軸８２により揺動可能に軸支したものである。保持部材８３の下端をクリーナ用ソレノイド８４により図の左右方向に移動させることにより、クリーニングブレード８１の中間転写ベルト６表面への圧接・離間動作を実行できるようになっている。
【００４０】
各現像ユニット４０Ｙ〜４０Ｋには、各現像ユニットの色情報や、ＬＯＴ番号、印字枚数などの情報が記録されているメモリ基板４２Ｙ〜４２Ｋが搭載されている。これらについての詳細は、後述する。
【００４１】
プリンタ１には、メモリ基板接続用接点ユニット５０が設けられている。その本接点５２（これは３つの本接点５２ａ〜５２ｃからなるが、詳細は後述する。）に各現像ユニットに搭載されたメモリ基板４２Ｙ〜４２Ｋの接点が接続するように構成されている。また、メモリ基板接続用接点ユニット５０には、メモリ基板４２Ｙ〜４２Ｋの接点上の粉塵やトナーなどの汚れを除去するためのスクレーパ接点５１(これは３つの接点５１ａ〜５１ｃからなるが、詳細は後述する。）が設けられている。
【００４２】
（２）  制御部１００の構成
【００４３】
図２は、図１のプリンタが備える制御部の構成を示すブロック図である。
【００４４】
図に示すように制御部１００は、ＣＰＵ１０１、インターフェース（Ｉ／Ｆ）部１０２、画像処理部１０３、画像メモリ１０４、ＬＤ駆動部１０５、ＲＯＭ１０６、およびＲＡＭ１０７を備えている。
【００４５】
ＲＯＭ１０６には、現像ラックを駆動するためのＣＰＵ１０１によって実行することが可能なプログラムが記録されている。
【００４６】
Ｉ／Ｆ部１０２は、ＬＡＮと接続するための通信インターフェース（ＬＡＮカード、ＬＡＮボードなど）である。
【００４７】
画像処理部１０３は、Ｉ／Ｆ部１０２を介して受信した外部装置からのＲＧＢ画像データに、公知の色補正処理やＭＴＦ補正処理などを加えて、現像色であるＹＭＣＫの画像データを生成する。生成された各色の画像データは、一旦画像メモリ１０４に格納された後、画像形成実行時にＣＰＵ１０１により読出されてＬＤ駆動部１０５に送信される。
【００４８】
ＬＤ駆動部１０５は内部にラインメモリを有する。ＬＤ駆動部１０５は、画像データを１走査ラインずつ順次保持する。ＬＤ駆動部１０５は、それを露光部１１の半導体レーザを駆動するための駆動パルスに変換した後、露光部１１に送る。
【００４９】
これにより、当該画像データに基づく感光体ドラム２への露光走査が行なわれ、感光体ドラム２上に各現像色の静電潜像が順次形成される。
【００５０】
ＣＰＵ１０１は、ＲＯＭ１０６から必要なプログラムを読み出して、画像形成部１０の感光体ドラム２、中間転写ベルト６、２次転写部７、およびクリーナ８などの動作、ならびに転写ローラ用ソレノイド７３、クリーナ用ソレノイド８４、および現像ラックモータ９１の動作の制御を行なう。ＣＰＵ１０１は、現像器に搭載されているメモリ基板４２Ｙ〜４２Ｋとの通信を行なう。ＣＰＵ１０１は、装置本体のカバーの開閉を検出するカバー開閉センサ９９からの信号を入力する。
【００５１】
またＣＰＵ１０１は、給紙部２０の給紙ローラ２２などの動作を統括的に制御し、画像形成動作などを円滑に実行させる。またＣＰＵ１０１は、内部にタイマー機能やカウンタ機能なども有し、上記制御プログラムの実行時にそれらを使用する。
【００５２】
さらにＣＰＵ１０１は、転写ローラ７１やクリーニングブレード８１の接離動作に伴う中間転写ベルト６の走行速度の変動に関するデータの取得処理や、これに伴う補正制御を実行する。
【００５３】
ＲＯＭ１０６には、画像形成動作や色ずれ補正制御、各現像ユニット搭載メモリ基板４２Ｙ〜４２Ｋのメモリの読み出し、書き込みなどのための各種プログラムが格納されている。
【００５４】
ＣＰＵ１０１は、現像ラックモータ９１を制御し、各色現像時に各色現像ユニット４０Ｙ〜４０Ｋの現像ローラ４１Ｙ〜４１Ｋを、感光体ドラム２に対向する所定位置に移動させたり、各現像ユニット搭載メモリ基板４２Ｙ〜４２Ｋのメモリの読み出し、書き込みのためにメモリ基板接続用接点ユニット５０の本接点５２（本接点５２ａ〜５２ｃ）に各現像ユニット搭載メモリ基板４２Ｙ〜４２Ｋの接点（接点Ａ〜Ｃ）が接続するように、現像ラック１５を所定位置に移動させる。
【００５５】
またＣＰＵ１０１は、各現像ユニット搭載メモリ基板４２Ｙ〜４２Ｋの接点（接点Ａ〜Ｃ）上の粉塵やトナーなどの汚れを除去するためのスクレーパ接点５１（接点５１ａ〜５１ｃ）をアクティブにするために、現像ラックモータ９１を逆回転させる制御を行なう。ＲＡＭ１０７は、ＣＰＵ１０１のワークエリアを提供する。
【００５６】
図３は、各現像ユニットに設けられるメモリ基板の部品装着面側の構成を示す概略図である。
【００５７】
各色現像ユニット４０Ｙ〜４０Ｋには、メモリ基板４２Ｙ〜４２Ｋが搭載されている。メモリ基板４２Ｙ〜４２Ｋの１つの部品装着面側の斜視図は、図３に示すものであり、不揮発性メモリを内蔵しているマイコン４３Ｙ〜４３Ｋが実装されている。
【００５８】
図４は、各現像ユニットに設けられるメモリ基板の接点側の構成を示す概略図である。
【００５９】
メモリ基板４２Ｙ〜４２Ｋの１つの裏面である接点側の斜視図は、図４に示すものであり、接点側には、接点Ａ、接点Ｂ、および接点Ｃが金メッキが施されて形成されている。
【００６０】
接点ＡはＧＮＤ接続用であり、接点Ｂは５Ｖ電源用であり、接点Ｃは双方向通信用の接点である。接点Ａ、および接点Ｂは、不揮発性メモリ内蔵マイコン４３Ｙ〜４３Ｋへの電源供給用の接点である。
【００６１】
これら接点により本体制御用のＣＰＵ１０１は、不揮発性メモリ内蔵マイコン４３Ｙ〜４３Ｋと通信し、各現像ユニットの情報を不揮発性メモリより得るとともに、印字枚数などの情報を不揮発性メモリ内蔵マイコン４３Ｙ〜４３Ｋに書き込む動作を行なう。
【００６２】
図５は、画像形成装置本体側の接点の構成の概略図である。
【００６３】
メモリ基板接続用接点ユニット５０は、図５に示す接点の構成を有している。各現像ユニット搭載メモリ基板４２Ｙ〜４２Ｋの接点（接点Ａ〜Ｃ）上に機内粉塵や飛散トナーが付着すると接点不良となることがある。このため、メモリ基板接続用接点ユニット５０には、汚れ除去用のスクレーパ接点５１ａ〜５１ｃが設置されている。スクレーパ接点５１ａ〜５１ｃが基板上接点Ａ〜Ｃに物理的に接触することにより、基板上接点Ａ〜Ｃ上の汚れが掻き取られるように各接点は設置されている。スクレーパ接点５１ａ〜５１ｃは、本接点５２ａ〜５２ｃの近傍に設置されている。
【００６４】
スクレーパ接点５１ａ〜５１ｃを、常時、本接点と同様に現像ラック１５の正回転時にメモリ基板接点（接点Ａ〜Ｃ）と摺動させると、メモリ基板接点（接点Ａ〜Ｃ）が削れ、その削れた部分に粉塵や飛散トナーが入り込んで接点不良を引き起こすケースが生じる。また、スクレーパ接点自体が削れてマシン寿命までスクレーパ機能を維持できないといった不具合が発生する。
【００６５】
そこで本実施の形態では、スクレーパ接点の動作を、通常のマシン印字動作以外のタイミングで行なわせることとしている。
【００６６】
具体的には図５に示した様に、スクレーパ接点５１ａ〜５１ｃを設置している台座５４は、Ｘ方向に可動する台座５３の上に設置される。Ｘ方向に台座５３を可動させることで、スクレーパ接点５１ａ〜５１ｃを上下に移動させることができる。本接点５２ａ〜５２ｃは固定の台座５５上に設置される。本接点５２ａ〜５２ｃのそれぞれは、スクレーパ接点５１ａ〜５１ｃのそれぞれに対応するように近接して設置される。これら接点が、１つのユニット５０としてマシン本体に設置される。
【００６７】
図６は、画像形成装置本体側に設けられる、本接点とスクレーパ接点からなる１組の接点の構成概略図である。
【００６８】
ここではスクレーパ接点５１ａ〜５１ｃのうちの１つのスクレーパ接点５１と、本接点５２ａ〜５２ｃのうちの１つの本接点５２との構成を示している。コイルバネ５１ｅ，５２ｅにより接点は付勢される。コイルバネ５１ｅ，５２ｅと、スクレーパ接点５１および本接点５２とを保持するガイド５１ｄ，５２ｄが設けられている。
【００６９】
図７は、スクレーパ接点を上下動させる機構を説明するための図である。
【００７０】
図７では、図１において“Ｇ”方向から現像ラック１５付近を見た構成を示している。
【００７１】
現像ラック１５のサイドには現像ラック駆動ギア（ギア溝）が設けられている。現像ラック駆動ギアは、現像ラックモータ９１の軸に取付けてある現像ラックモータギア９０の溝と噛合う。現像ラック１５は、現像ラックモータ９１の回転に伴って、正転、逆転することが可能となっている。
【００７２】
現像ラック１５には、現像ユニット４０Ｙ〜４０Ｋが装着されており、各現像ユニットにはメモリ基板４２Ｙ〜４２Ｋが搭載されている。現像ラックモータ９１の駆動により、現像ラック１５が回転し、メモリ基板４２Ｙ〜４２Ｋの接点（接点Ａ〜接点Ｃ）が台座５４上のスクレーパ接点５１ａ〜５１ｃ、および台座５５（図５）上に設置された本接点５２ａ〜５２ｃ（図５）と接する位置に来るように、ＣＰＵ１０１は制御を行なう。
【００７３】
前述の通り、スクレーパ接点５１ａ〜５１ｃを設置している台座５４は、Ｘ方向に可動する台座５３の上に設置される。Ｘ方向に台座５３を可動させることで、スクレーパ接点５１ａ〜５１ｃを上下に移動させることができる。
【００７４】
台座５３の下部には、突起５３ａが設けられている。台座５３の下部には、台座５３を移動させるための台座移動機構５６が設けられている。台座移動機構５６は円筒形状を示し、台座移動機構駆動ギアを介して現像ラック１５の回転と同じ方向に回転する。台座移動機構５６は、左右にその円周回転方向に設けられた溝５６ｂ，５６ｃを有し、さらに溝５６ｂ，５６ｃを繋ぐ斜めに設けられた溝５６ａを有している。
【００７５】
すなわち台座移動機構５６には、台座５４を上下動させるための溝５６ａと、その両サイドの円周状の溝５６ｂ，５６ｃとが作られている。台座５３に設けられた突起５３ａが、両サイドの円周状の溝５６ｂ，５６ｃまで来たときに、突起５３ａは溝５６ｂ，５６ｃ内を空回りするようになっている。
【００７６】
台座５３の突起５３ａは、溝５６ａ〜５６ｃに係合しており、溝５６ａ〜５６ｃ内を滑って移動する。これに合わせて台座５３も図の左右方向に移動する。
【００７７】
通常の印字動作時の現像ラック１５の回転（正回転）時には（図中、その回転方向を現像ラック１５右の矢印で示す。）、台座移動機構５６が現像ラック１５と同じ方向に回転する。これにより台座５３が横に（左方向に）移動し、スクレーパ接点５１ａ〜５１ｃが設置してある台座５４が下降する。このことによりスクレーパ接点５１ａ〜５１ｃは、メモリ基板４２Ｙ〜４２Ｋの接点（接点Ａ〜接点Ｃ）に接しない位置に移動する。
【００７８】
スクレーパ接点５１ａ〜５１ｃがメモリ基板４２Ｙ〜４２Ｋの接点（接点Ａ〜接点Ｃ）に接する位置に移動するために、現像ラックモータ９１を逆回転させ、現像ラック１５を逆回転させることが所定のタイミングでおこなわれる。逆回転により、台座５３は横に（右方向に）移動し、スクレーパ接点５１ａ〜５１ｃが設置されている台座５４が上昇する。
【００７９】
図８は、現像ラックの駆動処理を示すフローチャートである。
【００８０】
マシン本体の電源スイッチがＯＮされたところで、マシン本体のメモリ（図２のＲＡＭ１０７）の内容をチェックする（ステップＳ１）。現像ラックの各現像ユニットのメモリ基板に記憶された情報がマシン本体に格納されていなければ（ステップＳ２でＮＯ）、現像ラックを回転させ、そのホームポジションを検出する（ステップＳ３）。このことにより、現像ラックの回転位置を正確に把握することができる。
【００８１】
次にＣ色現像器のメモリアクセス位置に現像ラックを停止させ、メモリアクセスを行なう（ステップＳ４）。さらに同様にＫ色現像器のメモリアクセス（ステップＳ５）、Ｙ色現像器のメモリアクセス（ステップＳ６）、Ｍ色現像器のメモリアクセス（ステップＳ７）を行なう。これにより、通信により現像ラックの各メモリに記憶された情報がマシン本体に格納される。
【００８２】
ステップＳ２での、メモリに情報が格納されているかの判別の際、格納されている場合（ステップＳ２でＹＥＳ）は、さらに本体カバーがＯＰＥＮされていたか（開かれたか）を判定する（ステップＳ２’）。これは、カバー開閉センサ９９（図２）の出力に基づいて判定される。
【００８３】
カバーが開かれた後に閉められた場合（ステップＳ２’でＹＥＳ）は、現像器が取り替えられた可能性があり、また現像ラックの位置が不明であるため、ステップＳ３からＳ７までの処理を実行し、各現像器のメモリにアクセスする。
【００８４】
カバーが開かれていない場合（ステップＳ２’でＮＯ）には、所定の印字枚数かどうかを判定する（ステップＳ３’）。所定の枚数に達していた場合（ステップＳ３’でＹＥＳ）は、メモリ基板上の接点（接点Ａ〜Ｃ）が粉塵やトナーで汚れているレベルが大きいと判断し、前述した様に現像ラックを所定時間逆回転させ、スクレーパ接点を各現像器のメモリ基板の接点（接点Ａ〜Ｃ）に摺動する位置に移動させる（ステップＳ４’）。逆回転により、接点の粉塵やトナー汚れを除去する。マシン機内の汚れ具合を印字枚数により予測し、予測に応じて清掃を行なうものである。なお、印字枚数でなく、現像ラックの回転回数で予測を行なってもよい。
【００８５】
所定印字枚数に達していない場合（ステップＳ３’でＮＯ）は、現像ラックの逆回転は行なわずに処理を終了させる。
【００８６】
このように、スクレーパ接点を動作（機能）させるのを、現像ラック１５の逆回転時のみとすることで、メモリ基板上の接点（接点Ａ〜Ｃ）の摩耗、およびスクレーパ接点の摩耗を抑えることができる。また、常に安定してメモリ基板上の接点（接点Ａ〜Ｃ）上の汚れを除去し、メモリとの通信不良の発生を防ぎ、マシンの安定動作を可能とすることができる。
【００８７】
図９は、接点による通信の不良時に対処する処理を示すフローチャートである。
【００８８】
図を参照して、ステップＳ１１において、メモリ基板の接点（接点Ａ〜Ｃ）とメモリ基板接続用接点ユニット５０との通信の不良（失敗や通信エラー）が生じたかを判定する。ＹＥＳであるときには、ステップＳ１２において、メモリ基板上の接点（接点Ａ〜Ｃ）が粉塵やトナーで汚れているレベルが大きいと判断し、前述した様に現像ラックを所定時間逆回転させ、スクレーパ接点を各現像器のメモリ基板の接点（接点Ａ〜Ｃ）に摺動する位置に移動させた上で接点Ａ〜Ｃを清掃する。これにより、接点の粉塵やトナー汚れを除去する。
【００８９】
［実施の形態における効果］
【００９０】
上記実施の形態における構成によると、マシン耐久における接点の削れを軽減するために、通常の作像時のロータリー回転方向に対してそれを逆回転とさせた時のみに、スクレーパ接点が機能するようにしている。
【００９１】
すなわち、現像ラックが作像時である正回転駆動時に、スクレーパ機能を有する接点を現像器上のメモリ基板接点と摺動させていたのでは、接点の摩耗が大きくなる。本実施の形態のように、現像ラックを逆回転した時のみスクレーパ接点を機能させることで、接点の摩耗を少なくすることができ、安定した接点性能を保つことができる。
【００９２】
より詳しくは、マシン機内の汚れ具合を現像ラックの回転回数（または印字枚数）で予測し、所定の回転回数（または印字枚数）となったところでスクレーパ接点を機能させ、汚れ除去を行なうものである。これにより、現像ユニット搭載メモリとの通信不良の発生を未然に防ぎ、マシンの安定動作を可能とすることができる。さらに、通信エラーとなったところで、すぐにスクレーパ機能を動作させることで、常に安定した接点性能を維持することができる。
【００９３】
［その他］
【００９４】
なお、スクレーパ接点としては、導電体のものを使用して対応する本接点と導通させてもよいし、絶縁体のものを使用してもよい。
【００９５】
また上記実施の形態においては、現像ラックの位置に対してスクレーパ接点を相対的に移動させることとしたが、逆にスクレーパ接点の位置に対して現像ラックを相対的に移動させてもよい。両者を移動させてもよい。
【００９６】
なお、上述の実施の形態における処理は、ソフトウエアにより行なっても、ハードウエア回路を用いて行なってもよい。
【００９７】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００９８】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９９】
１  プリンタ
２  感光体ドラム
４  現像装置
６  中間転写ベルト
７  ２次転写部
８  クリーナ部
１１  露光部
１５  現像ラック
４０Ｙ〜４０Ｋ  各色現像ユニット
４１Ｙ〜４１Ｋ  現像ローラ
４２Ｙ〜４２Ｋ  メモリ基板
５０  メモリ基板接続用接点ユニット（コネクター）
５１，５１ａ〜５１ｃ  スクレーパ接点
５２，５２ａ〜５２ｃ  接点（本接点）
７１  ２次転写ローラ
７３  転写ローラ用ソレノイド
８１  クリーニングブレード
８４  クリーナ用ソレノイド
１００  制御部
１０１  ＣＰＵ
１０２  インターフェース部
１０３  画像処理部
１０４  画像メモリ
１０５  ＬＤ駆動部
Ａ〜Ｃ  メモリ基板４２Ｙ〜４２Ｋの接点
【図１】
2010169706.tif 000003
【図２】
2010169706.tif 000004
【図３】
2010169706.tif 000005
【図４】
2010169706.tif 000006
【図５】
2010169706.tif 000007
【図６】
2010169706.tif 000008
【図７】
2010169706.tif 000009
【図８】
2010169706.tif 000010
【図９】
2010169706.tif 000011